Podtech/llm-jp-corpus-v4-ja_patent huggingface dataset:
【手続補正書】
【提出日】平成29年12月4日(2017.12.4)
【手続補正１】
【補正対象書類名】明細書
【補正対象項目名】発明の名称
【補正方法】変更
【補正の内容】
【発明の名称】正極活物質、正極、及び非水電解質二次電池の製造方法
【手続補正２】
【補正対象書類名】特許請求の範囲
【補正対象項目名】全文
【補正方法】変更
【補正の内容】
【特許請求の範囲】
【請求項１】
非水電解質二次電池用正極活物質の製造方法であって、
前記製造方法は、少なくとも下記工程ａ．及びｂ．；
ａ．少なくとも、正極活物質前駆体と、リン原子を有するオキソ酸とを混合する工程、及び
ｂ．前記工程ａ．で得られた混合物を焼成する工程
｛ただし、前記工程ａ．において、正極活物質前駆体の表面積Ｒ（ｍ２）、リン原子を有するオキソ酸の密度Ａ（ｇ／ｃｍ３）、及びリン原子を有するオキソ酸の質量ｘ（ｇ）は、下記数式：
１≧１０ｘ／ＡＲ＞０
の関係を満たす。｝
を含み、
前記正極活物質は、少なくともＬｉ、Ｎｉ、Ｍｎ、及びＰの各原子を、下記数式群：
０．７／１．８≦Ｌｉ／Ｍｎ≦１．３／１．２、
０．７／０．８≦Ｌｉ／Ｎｉ≦１．３／０．２、及び
０．７／０．３≦Ｌｉ／Ｐ
の関係を満たすモル比で含み、
スピネル構造を有し、そして
平均作動電位がリチウム基準で４．５Ｖ以上であることを特徴とする、
非水電解質二次電池用正極活物質の製造方法。
【請求項２】
前記正極活物質は、更に、Ｑ’（Ｑ’は、Ｎｉ及びＭｎ以外の遷移金属原子、並びにＮａ、Ｋ、Ｍｇ、Ｃａ、Ｚｎ、Ｓｒ、Ｂａ、Ａｌ、Ｇａ、Ｉｎ、Ｓｉ、Ｇｅ、Ｓｎ、Ｐ、Ｓｂ、Ｂ、及びＳからなる群より選ばれる少なくとも１つの原子である）の原子を、下記数式：
０＜Ｑ’／Ｌｉ≦０．３／０．７
の関係を満たすモル比で含む、請求項１に記載の製造方法。
【請求項３】
前記リン原子を有するオキソ酸がリン酸を含む、請求項１又は２に記載の製造方法。
【請求項４】
請求項１〜３のいずれか１項に記載の製造方法によって正極活物質を得る工程、及び
得られた正極活物質を含むスラリーを集電体に塗布する工程
を含む、正極の製造方法。
【請求項５】
少なくとも、
請求項４に記載の製造方法によって正極を得る工程、
前記正極と負極とを重ね合わせた積層体を外装体に挿入する工程、及び、
前記外装体に非水電解質を注入する工程
を含む、非水電解質二次電池の製造方法。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置を管理する管理装置と通信する通信手段と、
前記情報処理装置のユーザの設定情報と、前記情報処理装置が設定情報を記憶しているユーザのリストを示すユーザ情報とを記憶手段に登録して管理する管理手段と、
前記通信手段を用いて、前記管理手段が管理する前記ユーザ情報と前記ユーザの設定情報を前記管理装置が管理する保持手段に登録する要求を行う要求手段と、
前記管理装置が設定情報を管理するユーザのリストを示すユーザ情報を前記管理装置から取得する第１の取得手段と、
前記管理装置から取得した前記ユーザ情報に基づいて、前記記憶手段に登録されたユーザ情報と、前記管理装置が管理するユーザ情報とを同期させる第１の制御手段と、を備えることを特徴とする情報処理装置。
【請求項２】
前記管理装置が管理するユーザの設定情報を取得する第２の取得手段と、
前記管理装置から取得したユーザ情報に基づいて、前記記憶手段に登録されたユーザの設定情報と、前記管理装置が管理するユーザの設定情報とを同期させる第２の制御手段
を備えることを特徴とする請求項１に記載の情報処理装置。
【請求項３】
前記管理装置から取得した前記ユーザ情報の更新時刻に基づいて、前記記憶手段に登録されたユーザ情報が示すユーザのうち、ユーザの設定情報を削除すべきユーザを特定する第１の特定手段を有し、
前記第１の制御手段は、特定されたユーザの設定情報を前記記憶手段から削除して、前記管理装置が管理するユーザ情報およびユーザ設定情報を同期させることを特徴とする請求項１に記載の情報処理装置。
【請求項４】
特定されたユーザの設定情報を前記記憶手段から削除する前に、当該ユーザがログイン中であるかどうかを判断する判断手段を備え、
当該ユーザがログイン中であると判断した場合、前記第１の制御手段は、当該ユーザがログアウトした後、特定されたユーザの設定情報を前記記憶手段から削除して、前記管理装置が管理するユーザ情報およびユーザ設定情報を同期させることを特徴とする請求項３記載の情報処理装置。
【請求項５】
情報処理装置と通信する管理装置であって、
前記情報処理装置のユーザのリストを示すユーザ情報と、当該ユーザ情報に対応づけられたユーザの設定情報とを保持手段に登録して管理する管理手段と、
前記情報処理装置から取得するユーザ情報に基づいて、登録されたユーザ情報を更新する第１の更新手段と、
前記情報処理装置から取得するユーザ情報に基づいて、登録されたユーザ情報に対応づけられたユーザの設定情報を更新する第２の更新手段と、
前記情報処理装置からのユーザ情報の更新要求に応じて、前記保持手段に登録されたユーザ情報を要求元の情報処理装置に応答する第１の応答手段と、
前記情報処理装置からのユーザの設定情報の更新要求に応じて、前記保持手段に登録されたユーザの設定情報を要求元の情報処理装置に応答する第２の応答手段と、
を備えることを特徴とする管理装置。
【請求項６】
前記管理装置は、情報処理装置にログインするユーザを認証する認証サーバと通信することを特徴とする請求項１記載の管理装置。
【請求項７】
情報処理装置の制御方法であって、
通信手段を用いて前記情報処理装置を管理する管理装置と通信する通信工程と、
前記情報処理装置のユーザの設定情報と、前記情報処理装置が設定情報を記憶しているユーザのリストを示すユーザ情報とを記憶手段に登録して管理する管理工程と、
前記通信手段を用いて、前記管理工程で管理する前記ユーザ情報と前記ユーザの設定情報を前記管理装置が管理する保持手段に登録する要求を行う要求工程と、
前記管理装置が設定情報を管理するユーザのリストを示すユーザ情報を前記管理装置から取得する第１の取得工程と、
前記管理装置から取得した前記ユーザ情報に基づいて、前記記憶手段に登録されたユーザ情報と、前記管理装置が管理するユーザ情報とを同期させる第１の制御工程と、を備えることを特徴とする情報処理装置の制御方法。
【請求項８】
情報処理装置と通信する管理装置の制御方法であって、
前記情報処理装置のユーザのリストを示すユーザ情報と、当該ユーザ情報に対応づけられたユーザの設定情報とを保持手段に登録して管理する管理工程と、
前記情報処理装置から取得するユーザ情報に基づいて、登録されたユーザ情報を更新する第１の更新工程と、
前記情報処理装置から取得するユーザ情報に基づいて、登録されたユーザ情報に対応づけられたユーザの設定情報を更新する第２の更新工程と、
前記情報処理装置からのユーザ情報の更新要求に応じて、前記保持手段に登録されたユーザ情報を要求元の情報処理装置に応答する第１の応答工程と、
前記情報処理装置からのユーザの設定情報の更新要求に応じて、前記保持手段に登録されたユーザの設定情報を要求元の情報処理装置に応答する第２の応答工程と、
を備えることを特徴とする管理装置の制御方法。
【請求項９】
請求項７に記載の情報処理装置の制御方法をコンピュータに実行させることを特徴とするプログラム。
【請求項１０】
請求項８に記載の管理装置の制御方法をコンピュータに実行させることを特徴とするプログラム。
【手続補正２】
【補正対象書類名】明細書
【補正対象項目名】０００８
【補正方法】変更
【補正の内容】
【０００８】
上記目的を達成する本発明の情報処理装置は以下に示す構成を備える。
情報処理装置であって、前記情報処理装置を管理する管理装置と通信する通信手段と、前記情報処理装置のユーザの設定情報と、前記情報処理装置が設定情報を記憶しているユーザのリストを示すユーザ情報とを記憶手段に登録して管理する管理手段と、前記通信手段を用いて、前記管理手段が管理する前記ユーザ情報と前記ユーザの設定情報を前記管理装置が管理する保持手段に登録する要求を行う要求手段と、前記管理装置が設定情報を管理するユーザのリストを示すユーザ情報を前記管理装置から取得する第１の取得手段と、前記管理装置から取得した前記ユーザ情報に基づいて、前記記憶手段に登録されたユーザ情報と、前記管理装置が管理するユーザ情報とを同期させる第１の制御手段と、を備えることを特徴とする。
上記目的を達成する本発明の管理装置は以下に示す構成を備える。
情報処理装置と通信する管理装置であって、前記情報処理装置のユーザのリストを示すユーザ情報と、当該ユーザ情報に対応づけられたユーザの設定情報とを保持手段に登録して管理する管理手段と、前記情報処理装置から取得するユーザ情報に基づいて、登録されたユーザ情報を更新する第１の更新手段と、前記情報処理装置から取得するユーザ情報に基づいて、登録されたユーザ情報に対応づけられたユーザの設定情報を更新する第２の更新手段と、前記情報処理装置からのユーザ情報の更新要求に応じて、前記保持手段に登録されたユーザ情報を要求元の情報処理装置に応答する第１の応答手段と、前記情報処理装置からのユーザの設定情報の更新要求に応じて、前記保持手段に登録されたユーザの設定情報を要求元の情報処理装置に応答する第２の応答手段と、を備えることを特徴とする。
【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
サーバの作成済みファイルの一覧を取得する取得手段と、
前回取得されたファイルの一覧と、今回取得されたファイルの一覧に基づいて、前記サーバにより新たに作成されたファイルが存在するか判断する判断手段と、
前記サーバにより新たに作成された前記ファイルが存在しないと判断された場合に、前記ファイルの一覧の取得回数をカウントするカウント手段と、
前記取得回数が所定の回数を超えた場合にエラーを通知する通知手段と、を有することを特徴とする情報処理装置。
【請求項２】
前記カウント手段は、前記サーバにより新たに作成された前記ファイルが存在すると判断された場合に、前記取得回数を０に戻す、ことを特徴とする請求項１に記載の情報処理装置。
【請求項３】
前記取得手段は、前記サーバにより新たに作成された前記ファイルが存在しないと判断された場合に、次にファイルの一覧を取得する間隔を、前回取得したときの間隔よりも長くする、ことを特徴とする請求項１または２に記載の情報処理装置。
【請求項４】
前記取得手段は、前記サーバによる定期的な通信動作のタイミングを示すタイムスタンプをさらに取得し、
前記通知手段は、前記取得されたタイムスタンプと現在時刻との間隔が所定の時間を超えた場合に、エラーを通知することを特徴とする請求項１ないし３のいずれか１項に記載の情報処理装置。
【請求項５】
前記通知手段は、前記取得回数が前記所定の回数を超えた場合であっても、前記取得されたタイムスタンプと現在時刻との間隔が所定の時間を超えない場合には、前記エラーを通知しない、ことを特徴とする請求項４に記載の情報処理装置。
【請求項６】
前記取得手段は、前記サーバが前記ファイルの一覧を記録したストレージ装置から該ファイルの一覧を取得する、ことを特徴とする請求項１ないし５のいずれか１項に記載の情報処理装置。
【請求項７】
前記サーバは、印刷のためのデータの形式を変換し、
前記形式が変換されたデータを画像処理装置に印刷させるサーバである、ことを特徴とする請求項１ないし６のいずれか１項に記載の情報処理装置。
【請求項８】
サーバの作成済みファイルの一覧を取得する取得工程と、
前回取得されたファイルの一覧と、今回取得されたファイルの一覧に基づいて、前記サーバにより新たに作成されたファイルが存在するか判断する判断工程と、
前記サーバにより新たに作成された前記ファイルが存在しないと判断された場合に、前記ファイルの一覧の取得回数をカウントするカウント工程と、
前記取得回数が所定の回数を超えた場合にエラーを通知する通知工程と、を有することを特徴とする情報処理装置の制御方法。
【請求項９】
請求項８に記載の制御方法をコンピュータに実行させることを特徴とするプログラム。
【手続補正２】
【補正対象書類名】明細書
【補正対象項目名】発明の名称
【補正方法】変更
【補正の内容】
【発明の名称】情報処理装置、制御方法、及びプログラム
【手続補正３】
【補正対象書類名】明細書
【補正対象項目名】０００９
【補正方法】変更
【補正の内容】
【０００９】
本発明の一実施形態の情報処理装置は、サーバの作成済みファイルの一覧を取得する取得手段と、前回取得されたファイルの一覧と、今回取得されたファイルの一覧に基づいて、前記サーバにより新たに作成されたファイルが存在するか判断する判断手段と、前記サーバにより新たに作成された前記ファイルが存在しないと判断された場合に、前記ファイルの一覧の取得回数をカウントするカウント手段と、前記取得回数が所定の回数を超えた場合にエラーを通知する通知手段と、を有する。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
少なくとも探索機能を有する印刷プラグインをインストールするインストール手段と、
インストールされた複数の印刷プラグインの状態をそれぞれ、有効状態又は無効状態に変更する指示を受け付ける第１の受付手段と、
前記複数の印刷プラグインにプリンタを探索させる指示を受け付ける第２の受付手段と、
前記指示を受け付けることに応じて、前記複数の印刷プラグインのうち前記有効状態の印刷プラグインそれぞれに対して前記プリンタの探索を指示する指示手段と、
前記無効状態の印刷プラグインに対応するオブジェクトを一覧に表示する表示手段と、
前記オブジェクトが指示されることに応じて、前記無効状態の印刷プラグインを前記有効状態に変更して、かつ前記有効状態に変更された印刷プラグインに対して前記プリンタの探索の指示を行う制御手段と、を有することを特徴とする情報処理装置。
【請求項２】
前記一覧は探索によって見つかった前記プリンタに関する情報を含むことを特徴とする請求項１に記載の情報処理装置。
【請求項３】
前記表示手段は、前記探索を指示された印刷プラグインの探索処理により見つかったプリンタを探索結果として表示することを特徴とする請求項１又は請求項２に記載の情報処理装置。
【請求項４】
前記オブジェクトが指示された場合に、前記有効状態に変更された前記印刷プラグインの探索処理によって見つかったプリンタを前記探索結果に追加して表示することを特徴とする請求項３に記載の情報処理装置。
【請求項５】
前記表示手段は、前記無効状態の印刷プラグインが有効になることを示す文言を前記オブジェクト内に表示することを特徴とする請求項１乃至４のいずれか１項に記載の情報処理装置。
【請求項６】
前記複数の印刷プラグインに前記無効状態の印刷プラグインが含まれているか否かを判断する判断手段と、を有し、
前記表示手段は、前記判断手段により前記複数の印刷プラグインに前記無効状態の印刷プラグインが含まれていると判断された場合に、前記オブジェクトを前記一覧に表示することを特徴とする請求項１乃至５のいずれか１項に記載の情報処理装置。
【請求項７】
コンピュータに、
少なくとも探索機能を実行させる印刷プラグインをインストールするインストール工程と、
インストールされた複数の印刷プラグインの状態をそれぞれ、有効状態又は無効状態に変更する指示を受け付ける第１の受付工程と、
前記複数の印刷プラグインにプリンタを探索させる指示を受け付ける第２の受付工程と、
前記指示を受け付けることに応じて、前記複数の印刷プラグインのうち前記有効状態の印刷プラグインそれぞれに対して前記プリンタの探索を指示する指示工程と、
前記無効状態の印刷プラグインに対応するオブジェクトを一覧に表示する表示工程と、
前記オブジェクトが指示されることに応じて、前記無効状態の印刷プラグインを前記有効状態に変更して、かつ前記有効状態に変更された印刷プラグインに対して前記プリンタの探索の指示を行う制御工程と、を実行させることを特徴とするプログラム。
【請求項８】
前記一覧は探索によって見つかった前記プリンタに関する情報を含むことを特徴とする請求項７に記載のプログラム。
【請求項９】
前記表示工程は、前記探索を指示された印刷プラグインの探索処理により見つかったプリンタを探索結果として表示することを特徴とする請求項７又は請求項８に記載のプログラム。
【請求項１０】
前記オブジェクトが指示された場合に、前記有効状態に変更された前記印刷プラグインの探索処理によって見つかったプリンタを前記探索結果に追加して表示することを特徴とする請求項９に記載のプログラム。
【請求項１１】
前記表示工程は、前記無効状態の印刷プラグインが有効になることを示す文言を前記オブジェクト内に表示することを特徴とする請求項７乃至１０のいずれか１項に記載のプログラム。
【請求項１２】
前記コンピュータに、
前記複数の印刷プラグインに前記無効状態の印刷プラグインが含まれているか否かを判断する判断工程と、を実行させ、
前記表示工程は、前記判断工程により前記複数の印刷プラグインに前記無効状態の印刷プラグインが含まれていると判断された場合に、前記オブジェクトを前記一覧に表示することを特徴とする請求項７乃至１１のいずれか１項に記載のプログラム。
【請求項１３】
少なくとも探索機能を有する印刷プラグインをインストールするインストール工程と、
インストールされた複数の印刷プラグインの状態をそれぞれ、有効状態又は無効状態に変更する指示を受け付ける第１の受付工程と、
前記複数の印刷プラグインにプリンタを探索させる指示を受け付ける第２の受付工程と、
前記指示を受け付けることに応じて、前記複数の印刷プラグインのうち前記有効状態の印刷プラグインそれぞれに対して前記プリンタの探索を指示する指示工程と、
前記無効状態の印刷プラグインに対応するオブジェクトを一覧に表示する表示工程と、
前記オブジェクトが指示されることに応じて、前記無効状態の印刷プラグインを前記有効状態に変更して、かつ前記有効状態に変更された印刷プラグインに対して前記プリンタの探索の指示を行う制御工程と、を有することを特徴とする制御方法。
【手続補正２】
【補正対象書類名】明細書
【補正対象項目名】０００９
【補正方法】変更
【補正の内容】
【０００９】
上記の目的を達成するための本発明に係る情報処理装置は、
少なくとも探索機能を有する印刷プラグインをインストールするインストール手段と、
インストールされた複数の印刷プラグインの状態をそれぞれ、有効状態又は無効状態に変更する指示を受け付ける第１の受付手段と、
前記複数の印刷プラグインにプリンタを探索させる指示を受け付ける第２の受付手段と、
前記指示を受け付けることに応じて、前記複数の印刷プラグインのうち前記有効状態の印刷プラグインそれぞれに対して前記プリンタの探索を指示する指示手段と、
前記無効状態の印刷プラグインに対応するオブジェクトを一覧に表示する表示手段と、
前記オブジェクトが指示されることに応じて、前記無効状態の印刷プラグインを前記有効状態に変更して、かつ前記有効状態に変更された印刷プラグインに対して前記プリンタの探索の指示を行う制御手段と、を有することを特徴とする。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
プリンタードライバーをインストールすることで、前記プリンタードライバーの印刷設定の機能を定義する第１のファイルに基づいて、前記プリンタードライバーの特定の機能の設定値が、オペレーティングシステムにより提供される保存領域に登録されるインストール手段と、
前記プリンタードライバーのカスタマイズ内容を示す情報を含む第２のファイルに基づいて、前記保存領域に存在する、前記プリンタードライバーの特定の機能の設定値を変更する変更手段と、を有し、
前記変更手段により変更された前記保存領域の前記特定の機能の設定値と、前記第１のファイルに記述された他の機能の設定値に関する禁則に従って処理が行われることにより、前記プリンタードライバーの機能がカスタマイズされることを特徴とする情報処理装置。
【請求項２】
前記保存領域の前記特定の機能の設定値と、前記第１のファイルに記述された他の機能の設定値に関する前記禁則に従う前記処理は前記第１のファイルの記述に基づいて行われることを特徴とする請求項１に記載の情報処理装置。
【請求項３】
前記インストール手段は前記プリンタードライバーのカスタマイズ内容をプリンタードライバーのインストール過程でユーザーから入力を受け付け、
前記変更手段は、前記インストール手段が受け付けた入力に基づいて、前記保存領域に存在し、前記第１のファイルに記述された設定値を変更することを特徴とする請求項１又は請求項２に記載の情報処理装置。
【請求項４】
前記第１のファイルでは前記特定の機能のデフォルトの設定値として無効が定義され、前記変更手段によって前記特定の機能の設定値が有効に変更されていない場合、前記禁則に従う前記処理は行われないことを特徴とする請求項１乃至３のいずれか１項に記載の情報処理装置。
【請求項５】
前記第２のファイルに含まれる、ユーザーに対して強制したい設定値が定義された禁則情報を前記保存領域に保存する保存手段と、
前記プリンタードライバーの印刷設定画面が開かれた場合に、前記禁則情報に基づく前記処理を行なうことにより、前記プリンタードライバーの機能をカスタマイズするカスタマイズ手段と、を有することを特徴とする請求項１乃至４のいずれか１項に記載の情報処理装置。
【請求項６】
コンピュータに、
プリンタードライバーをインストールすることで、前記プリンタードライバーの印刷設定の機能を定義する第１のファイルに基づいて、前記プリンタードライバーの特定の機能の設定値が、オペレーティングシステムにより提供される保存領域に登録されるインストール工程と、
前記プリンタードライバーのカスタマイズ内容を示す情報を含む第２のファイルに基づいて、前記保存領域に存在する、前記プリンタードライバーの特定の機能の設定値を変更する変更工程と、を実行させ、
前記変更工程により変更された前記保存領域の前記特定の機能の設定値と、前記第１のファイルに記述された他の機能の設定値に関する禁則に従って処理が行われることにより、前記プリンタードライバーの機能がカスタマイズされることを特徴とするプログラム。
【請求項７】
前記保存領域の前記特定の機能の設定値と、前記第１のファイルに記述された他の機能の設定値に関する前記禁則に従う前記処理は前記第１のファイルの記述に基づいて行われることを特徴とする請求項６に記載のプログラム。
【請求項８】
前記インストール工程は前記プリンタードライバーのカスタマイズ内容をプリンタードライバーのインストール過程でユーザーから入力を受け付け、
前記変更工程は、前記インストール工程で受け付けた入力に基づいて、前記保存領域に存在し、前記第１のファイルに記述された設定値を変更することを特徴とする請求項６又は請求項７に記載のプログラム。
【請求項９】
前記第１のファイルでは前記特定の機能のデフォルトの設定値として無効が定義され、前記変更工程によって前記特定の機能の設定値が有効に変更されていない場合、前記禁則に従う前記処理は行われないことを特徴とする請求項６乃至８のいずれか１項に記載のプログラム。
【請求項１０】
前記コンピュータに、
前記第２のファイルに含まれる、ユーザーに対して強制したい設定値が定義された禁則情報を前記保存領域に保存する保存工程と、
前記プリンタードライバーの印刷設定画面が開かれた場合に、前記禁則情報に基づく前記処理を行なうことにより、前記プリンタードライバーの機能をカスタマイズするカスタマイズ工程と、を実行させることを特徴とする請求項６乃至９のいずれか１項に記載のプログラム。
【請求項１１】
プリンタードライバーをインストールすることで、前記プリンタードライバーの印刷設定の機能を定義する第１のファイルに基づいて、前記プリンタードライバーの特定の機能の設定値が、オペレーティングシステムにより提供される保存領域に登録されるインストール工程と、
前記プリンタードライバーのカスタマイズ内容を示す情報を含む第２のファイルに基づいて、前記保存領域に存在する、前記プリンタードライバーの特定の機能の設定値を変更する変更工程と、を有し、
前記変更工程により変更された前記保存領域の前記特定の機能の設定値と、前記第１のファイルに記述された他の機能の設定値に関する禁則に従って処理が行われることにより、前記プリンタードライバーの機能がカスタマイズされることを特徴とする制御方法。
【手続補正２】
【補正対象書類名】明細書
【補正対象項目名】０００７
【補正方法】変更
【補正の内容】
【０００７】
上記の目的を達成するための本発明に係る情報処理装置は、
プリンタードライバーをインストールすることで、前記プリンタードライバーの印刷設定の機能を定義する第１のファイルに基づいて、前記プリンタードライバーの特定の機能の設定値が、オペレーティングシステムにより提供される保存領域に登録されるインストール手段と、
前記プリンタードライバーのカスタマイズ内容を示す情報を含む第２のファイルに基づいて、前記保存領域に存在する、前記プリンタードライバーの特定の機能の設定値を変更する変更手段と、を有し、
前記変更手段により変更された前記保存領域の前記特定の機能の設定値と、前記第１のファイルに記述された他の機能の設定値に関する禁則に従って処理が行われることにより、前記プリンタードライバーの機能がカスタマイズされることを特徴とする。
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
マルチタッチ操作を検出可能なタッチパネルを備える情報処理装置であって、
前記タッチパネルへのユーザによる操作に基づくタッチイベントを検出する検出手段と、
前記検出手段により検出されたマルチタッチイベントに基づいてシングルタッチイベントを生成する生成手段と、
マルチタッチイベントに対応していないアプリケーションに対して、前記生成手段により生成されたシングルタッチイベントを送信する送信手段と、
を有することを特徴とする情報処理装置。
【請求項２】
前記送信手段は、マルチタッチイベントに対応していないアプリケーションに対して、前記検出手段により検出されたマルチタッチイベントを送信せずに、前記生成手段により生成されたシングルタッチイベントを送信することを特徴とする請求項１記載の情報処理装置。
【請求項３】
前記送信手段は、マルチタッチイベントに対応しているアプリケーションに対して、前記検出手段により検出されたマルチタッチイベントと、前記生成手段により生成されたシングルタッチイベントと、を送信することを特徴とする請求項１又は２記載の情報処理装置。
【請求項４】
前記生成手段は、前記検出手段により検出されたタッチイベントがマルチタッチイベントの場合、操作対象のアプリケーションがマルチタッチイベントに対応しているか否かに拘わらず、当該検出されたマルチタッチイベントに基づいてシングルタッチイベントを生成することを特徴とする請求項１から３のいずれか１項に記載の情報処理装置。
【請求項５】
前記生成手段は、前記検出手段により検出されたタッチイベントがマルチタッチイベントであって、操作対象のアプリケーションがマルチタッチイベントに対応していない場合に、当該検出されたマルチタッチイベントに基づいてシングルタッチイベントを生成し、前記検出手段により検出されたタッチイベントがマルチタッチイベントであっても操作対象のアプリケーションがマルチタッチイベントに対応している場合には、シングルタッチイベントを生成しないことを特徴とする請求項１から３のいずれか１項に記載の情報処理装置。
【請求項６】
前記生成手段は、前記検出手段により検出されたシングルタッチイベントに基づいてマルチタッチイベントを生成し、
前記送信手段は、マルチタッチイベントに対応しているアプリケーションに対して、前記検出手段により検出されたシングルタッチイベントと、前記生成手段により生成されたマルチタッチイベントと、を送信することを特徴とする請求項１から５のいずれか１項に記載の情報処理装置。
【請求項７】
複数のアプリケーションそれぞれについて、マルチタッチイベントに対応しているか否かの情報を管理する管理手段と、
前記管理手段により管理する情報に基づいて、操作対象のアプリケーションがマルチタッチイベントに対応しているか否かを判定する判定手段と、
を有することを特徴とする請求項１から６のいずれか１項に記載の情報処理装置。
【請求項８】
前記管理手段は、前記複数のアプリケーションそれぞれの初期化処理において各アプリケーションから通知される情報に基づいて、管理する情報を更新することを特徴とする請求項７記載の情報処理装置。
【請求項９】
前記検出手段により検出されるタッチイベントには、タッチ数、イベント種別が含まれることを特徴とする請求項１から８のいずれか１項に記載の情報処理装置。
【請求項１０】
前記生成手段は、前記検出手段により検出されたマルチタッチイベントに含まれる２点のタッチ位置のうち、一方のタッチ位置を含むシングルタッチイベントを生成することを特徴とする請求項９記載の情報処理装置。
【請求項１１】
画像を読み取る読み取り手段を有することを特徴とする請求項１から１０のいずれか１項に記載の情報処理装置。
【請求項１２】
画像を印刷する印刷手段を有することを特徴とする請求項１から１１のいずれか１項に記載の情報処理装置。
【請求項１３】
前記生成手段は、前記検出手段により検出されたマルチタッチイベントに含まれる２点のタッチ位置両方に基づいて１点のタッチ位置を決定し、決定された１点のタッチ位置を含むシングルタッチイベントを生成することを特徴とする請求項１から１２のいずれか１項に記載の情報処理装置。
【請求項１４】
前記生成手段は、前記検出手段により検出されたマルチタッチイベントに含まれる２点のタッチ位置の中点をタッチ位置として含むシングルタッチイベントを生成することを特徴とする請求項１３記載の情報処理装置。
【請求項１５】
操作対象のアプリケーションがマルチタッチイベントに対応しているか否かを判定する判定手段を有し、
前記送信手段は、
操作対象のアプリケーションがマルチタッチイベントに対応していると判定された場合は、前記検出手段により検出されたマルチタッチイベントを当該アプリケーションに送信し、
前記判定手段により操作対象のアプリケーションがマルチタッチイベントに対応していないと判定された場合は、前記検出手段により検出されたマルチタッチイベントに基づいて前記生成手段により生成されたシングルタッチイベントを操作対象のアプリケーションに送信することを特徴とする請求項１から１４のいずれか１項に記載の情報処理装置。
【請求項１６】
前記送信手段は、マルチタッチイベントに対応しているアプリケーションに対して、前記検出手段により検出されたマルチタッチイベントを送信することを特徴とする請求項１から１５のいずれか１項に記載の情報処理装置。
【請求項１７】
マルチタッチ操作を検出可能なタッチパネルを備える情報処理装置における情報処理方法であって、
前記タッチパネルへのユーザによる操作に基づくタッチイベントを検出する検出工程と、
前記検出工程において検出されたマルチタッチイベントに基づいてシングルタッチイベントを生成する生成工程と、
マルチタッチイベントに対応していないアプリケーションに対して、前記生成工程において生成されたシングルタッチイベントを送信する送信工程と、
を有することを特徴とする情報処理方法。
【請求項１８】
請求項１７記載の情報処理方法をコンピュータに実行させるためのプログラム。
【手続補正書】
【提出日】平成29年12月8日(2017.12.8)
【手続補正１】
【補正対象書類名】特許請求の範囲
【補正対象項目名】請求項１７
【補正方法】変更
【補正の内容】
【請求項１７】
請求項１５または１６に記載の制御方法の各工程をコンピュータに実行させるためのプログラム。
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
第１キャビティを有する第１ボディーと、
前記第１ボディーと面接触しながら配置される第２ボディーと、
前記第２ボディーの表面に配置された複数個の突出部とを含み、
前記第１ボディーと垂直方向に少なくとも一部が重なり、
前記突出部のうち前記第１ボディーと最も隣接して第１突出部が配置され、前記第１突出部の表面に複数個のパターンが配置され、
前記複数個のパターンのうちの少なくとも１つは、第１方向の第１傾斜部、及び前記第１方向と対向する第２方向の第２傾斜部を有し、
前記第１突出部はｎ個のパターンからなり、第ｎパターンの高さは第ｎ−１パターンの高さよりも高く、第２突出部の高さは、前記第ｎパターンの高さよりも低く、前記第ｎ−１パターンの高さよりも高く、ここで、前記ｎは、２以上の整数である、レンズ。
【請求項２】
前記第ｎ＋１パターンと前記第ｎパターンとの接点の高さは、前記第ｎパターンと前記第ｎ−１パターンとの接点の高さよりも高く、前記ｎは、２以上の整数である、請求項１に記載のレンズ。
【請求項３】
前記第２突出部と前記第１突出部との接点の高さは、前記第１パターンと前記第２パターンとの接点の高さよりも低い、請求項１又は２に記載のレンズ。
【請求項４】
第３方向において第ｎパターンの幅は第ｎ−１パターンの幅よりも大きく、ここで、前記第３方向は、前記第１方向と垂直であり、前記ｎは、２以上の整数である、請求項１乃至３のいずれかに記載のレンズ。
【請求項５】
前記それぞれの第２傾斜部は、前記第１ボディーの底面に対して８０度（°）〜１００度（°）に配置される、請求項１乃至４のいずれかに記載のレンズ。
【請求項６】
前記それぞれの第１傾斜部は互いに平行である、請求項１乃至５のいずれかに記載のレンズ。
【請求項７】
前記第１キャビティは、
第１方向の曲面及び第２方向の傾斜面を含む、請求項１乃至６のいずれかに記載のレンズ。
【請求項８】
前記曲面は、少なくとも１つの不連続線を含む、請求項７に記載のレンズ。
【請求項９】
前記突出部のうちの少なくとも１つは、前記第１キャビティの傾斜面と対応して配置される、請求項７又は８に記載のレンズ。
【請求項１０】
第２突出部は、
前記第１方向の第３傾斜部及び第２方向の第４傾斜部を含む、請求項１乃至９のいずれかに記載のレンズ。
【請求項１１】
前記第１傾斜部及び第３傾斜部は、それぞれ前記第１ボディーの底面と既設定の角度をなし、前記既設定の角度は、４０度以上７０度以下である、請求項１０に記載のレンズ。
【請求項１２】
第４傾斜部は前記第２傾斜部と平行である、請求項１０又は１１に記載のレンズ。
【請求項１３】
前記第２ボディーに形成された第２キャビティをさらに含む、請求項１乃至１２のいずれかに記載のレンズ。
【請求項１４】
前記第２キャビティは、前記第１方向の傾斜面及び前記第２方向の傾斜面を含む、請求項１３に記載のレンズ。
【請求項１５】
請求項１乃至１４のいずれかに記載のレンズと、
前記レンズの第１キャビティに少なくとも一部が挿入されて配置される発光素子パッケージとを含み、
前記発光素子パッケージはＣＯＢ（ｃｈｉｐ  ｏｎ  ｂｏａｒｄ）型である、発光素子モジュール。
【手続補正書】
【提出日】平成30年9月25日(2018.9.25)
【手続補正１】
【補正対象書類名】明細書
【補正対象項目名】発明の名称
【補正方法】変更
【補正の内容】
【発明の名称】発光装置
【手続補正２】
【補正対象書類名】特許請求の範囲
【補正対象項目名】全文
【補正方法】変更
【補正の内容】
【特許請求の範囲】
【請求項１】
発光パネル、二次電池、回路、及び封止体を有し、
前記発光パネルは、発光素子を有し、
前記発光素子は、前記二次電池から供給される電力を用いて発光する機能を有し、
前記二次電池は、前記発光パネルと重なる部分を有し、
前記回路は、アンテナを有し、
前記回路は、無線で前記二次電池を充電する機能を有し、
前記封止体は、内部に、前記発光パネル、前記二次電池、及び前記回路を有し、
前記封止体の少なくとも一部は、前記発光素子が発する光を透過する機能を有することを特徴する発光装置。
【請求項２】
発光パネル、二次電池、回路、及び封止体を有し、
前記発光パネルは、発光素子を有し、
前記発光素子は、前記二次電池から供給される電力を用いて発光する機能を有し、
前記発光素子は、０℃の環境下で発光することができ、
前記発光素子は、１００℃の環境下で発光することができ、
前記二次電池は、０℃の環境下で前記発光パネルに電力を供給することができ、
前記二次電池は、１００℃の環境下で前記発光パネルに電力を供給することができ、
前記回路は、アンテナを有し、
前記回路は、無線で前記二次電池を充電する機能を有し、
前記封止体は、内部に、前記発光パネル、前記二次電池、及び前記回路を有し、
前記封止体の少なくとも一部は、前記発光素子が発する光を透過する機能を有することを特徴する発光装置。
【請求項３】
請求項１又は請求項２において、
前記アンテナの少なくとも一部は、前記発光パネルと前記二次電池の間に位置することを特徴する発光装置。
【請求項４】
請求項１乃至請求項３のいずれか一項において、
前記発光素子は、一対の電極及び発光層を有し、
前記発光層は、前記一対の電極の間に位置し、
前記発光層は、発光性の有機化合物を含み、
前記発光性の有機化合物のガラス転移温度は、１００℃以上であることを特徴する発光装置。
【請求項５】
請求項１乃至請求項４のいずれか一項において、
前記二次電池は、非水電解質を有し、
前記非水電解質は、イオン液体と、アルカリ金属塩と、を有し、
前記イオン液体は、イミダゾリウムカチオンと、アニオンと、を有し、
前記アルカリ金属塩は、リチウム塩であることを特徴する発光装置。
【請求項６】
請求項１乃至請求項５のいずれか一項において、
第１のスイッチを有し、
前記第１のスイッチがオン状態のときに、前記二次電池は、前記発光パネルに電力を供給することができ、
前記第１のスイッチがオフ状態のときに、前記回路は、無線で前記二次電池を充電することができることを特徴する発光装置。
【請求項７】
請求項１乃至請求項６のいずれか一項において、
前記発光パネルは、可撓性を有する部分を含むことを特徴する発光装置。
【請求項８】
請求項１乃至請求項７のいずれか一項において、
前記二次電池は、可撓性を有する部分を含むことを特徴する発光装置。
【請求項９】
請求項１乃至請求項８のいずれか一項において、
前記封止体の内部は、減圧雰囲気であることを特徴する発光装置。
【請求項１０】
請求項１乃至請求項９のいずれか一項の発光装置であり、
０℃の水中で使用することができることを特徴する発光装置。
【請求項１１】
請求項１乃至請求項１０のいずれか一項の発光装置であり、
１００℃の水中で使用することができることを特徴する発光装置。
【請求項１２】
請求項１乃至請求項１１のいずれか一項において、
前記発光パネルは、第２のスイッチと、第３のスイッチと、容量素子と、を有し、
前記第２のスイッチは、前記容量素子の一方の電極に電気的に接続され、
前記第３のスイッチは、前記容量素子の他方の電極に電気的に接続され、
前記容量素子は、ビデオ信号に応じた電圧を保持する機能を有し、
前記発光素子は、前記電圧に応じて発光する機能を有し、
前記容量素子が前記電圧を保持する期間において、前記第２のスイッチ及び前記第３のスイッチは非導通状態であり、前記ビデオ信号の供給に用いた駆動回路とは電気的に遮断されていることを特徴する発光装置。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
現像剤搬送路と、
前記現像剤搬送路の内部で現像剤を搬送するための第1の搬送部材であって、第１の軸線の周りに回転可能な第１の軸と、駆動力を伝達する駆動伝達部と、前記第１の軸から突出し、前記駆動伝達部に向けて前記現像剤を搬送するように構成された第１の現像剤搬送部と、を有する第１の搬送部材と、
前記現像剤搬送路の内部で前記現像剤を搬送するための第２の搬送部材であって、第２の軸線の周りに回転可能な第２の軸と、前記駆動伝達部から前記駆動力を受けて前記第２の軸を回転させるための駆動受け部と、前記第１の現像剤搬送部によって搬送された前記現像剤を搬送するための第２の現像剤搬送部と、を備える第２の搬送部材と、
を有し、
前記第２の現像剤搬送部は、前記第２の軸の周りに設けられた螺旋羽根であり、
前記駆動受け部は、前記駆動伝達部に備えられた係合部と前記現像剤搬送路の内部で係合することにより、前記駆動力を受ける被係合部を有し、
前記第１の軸線の方向から見た場合に、前記係合部の先端が描く軌跡からなる円と、前記第２の軸線を延長した線とが重なることを特徴とする搬送装置。
【請求項２】
前記第１の軸線の方向から見た場合に、前記第２の軸線を延長した線が前記第１の軸の断面を通ることを特徴とする請求項１に記載の搬送装置。
【請求項３】
前記係合部または前記被係合部のいずれか一方は、羽根形状であることを特徴とする請求項１または２に記載の搬送装置。
【請求項４】
第１の軸線の方向と第２の軸線の方向とが直交することを特徴とする請求項１から３のいずれか１項に記載の搬送装置。
【請求項５】
前記第１の搬送部材は、前記第１の軸線の方向における一端部に、外部から前記第１の搬送部材を回転させるための力を受けるための入力部を有し、前記駆動伝達部は、前記第１の軸線の方向における他端部よりも前記一端部に近い位置に配置されていることを特徴とする請求項１から４のいずれか１項に記載の搬送装置。
【請求項６】
前記第１の現像剤搬送部は、羽根形状を有することを特徴とする請求項１から５のいずれか１項に記載の搬送装置。
【請求項７】
前記係合部は、前記第１の軸から突出した形状を有し、
前記第１の軸線の方向から見た場合に、前記第１の現像剤搬送部の先端は、前記第１の搬送部材が回転した場合に前記係合部の先端が描く円と、前記係合部の根元が描く円との間に位置することを特徴とする請求項１から６のいずれか１項に記載の搬送装置。
【請求項８】
前記第１の搬送部材は複数の前記係合部を有し、それぞれの前記係合部の間を前記現像剤が通過できるように構成されることを特徴とする請求項７に記載の搬送装置。
【請求項９】
前記係合部は、前記第１の現像剤搬送部が前記現像剤を搬送する方向と反対の方向に前記現像剤を搬送することを特徴とする請求項７または請求項８に記載の搬送装置。
【請求項１０】
前記係合部は複数あり、前記係合部の数は１０以下であることを特徴とする請求項１から７のいずれか１項に記載の搬送装置。
【請求項１１】
前記第２の搬送部材は、水平方向に対する前記第２の軸線の角度が、前記現像剤の安息角以下の角度である状態で、前記現像剤を搬送するように構成されることを特徴とする請求項１から１０のいずれか１項に記載の搬送装置。
【請求項１２】
前記係合部は、前記第１の軸の径方向に突出する柱部と、前記柱部から第１の軸の回転方向の下流側に突出した当接部と、を有し、
前記被係合部は、前記第２の軸の回転方向の上流側に、前記当接部が当接する被当接面を有することを特徴とする請求項１から１１のいずれか１項に記載の搬送装置。
【請求項１３】
前記被当接面は前記第２の軸の径方向外側に向かうにつれ、前記第２の軸の回転方向の下流側に向かって湾曲していることを特徴とする請求項１２に記載の搬送装置。
【請求項１４】
画像形成装置の装置本体に着脱可能なクリーニング装置であって、
像担持体の上の現像剤を除去するためのクリーニング部材と、
前記現像剤を搬送するための請求項１から１３のいずれか１項に記載の搬送装置と、を有するクリーニング装置。
【請求項１５】
前記第１の軸は、前記像担持体と対向し、かつ平行に配置されていることを特徴とする請求項１４に記載のクリーニング装置。
【請求項１６】
画像形成装置の装置本体に着脱可能な現像装置であって、
現像剤を担持するための現像剤担持体と、
前記現像剤を搬送するための請求項１から１３のいずれか１項に記載の搬送装置と、を有する現像装置。
【請求項１７】
現像剤像を担持する像担持体と、
請求項１から１３のいずれか１項に記載の搬送装置を有することを特徴とするプロセスカートリッジ。
【請求項１８】
装置本体と、
請求項１から１３のいずれか１項に記載の搬送装置と、を有し、
前記搬送装置が前記装置本体に着脱可能に構成されることを特徴とする画像形成装置。
【手続補正２】
【補正対象書類名】明細書
【補正対象項目名】００１１
【補正方法】変更
【補正の内容】
【００１１】
そこで、本発明は、現像剤搬送路と、前記現像剤搬送路の内部で現像剤を搬送するための第1の搬送部材であって、第１の軸線の周りに回転可能な第１の軸と、駆動力を伝達する駆動伝達部と、前記第１の軸から突出し、前記駆動伝達部に向けて前記現像剤を搬送するように構成された第１の現像剤搬送部と、を有する第１の搬送部材と、前記現像剤搬送路の内部で前記現像剤を搬送するための第２の搬送部材であって、第２の軸線の周りに回転可能な第２の軸と、前記駆動伝達部から前記駆動力を受けて前記第２の軸を回転させるための駆動受け部と、前記第１の現像剤搬送部によって搬送された前記現像剤を搬送するための第２の現像剤搬送部と、を備える第２の搬送部材と、を有し、前記第２の現像剤搬送部は、前記第２の軸の周りに設けられた螺旋羽根であり、前記駆動受け部は、前記駆動伝達部に備えられた係合部と前記現像剤搬送路の内部で係合することにより、前記駆動力を受ける被係合部を有し、前記第１の軸線の方向から見た場合に、前記係合部の先端が描く軌跡からなる円と、前記第２の軸線を延長した線とが重なることを特徴とする搬送装置を提供するものである。
【手続補正書】
【提出日】平成30年11月6日(2018.11.6)
【手続補正１】
【補正対象書類名】明細書
【補正対象項目名】発明の名称
【補正方法】変更
【補正の内容】
【発明の名称】半導体装置
【手続補正２】
【補正対象書類名】特許請求の範囲
【補正対象項目名】全文
【補正方法】変更
【補正の内容】
【特許請求の範囲】
【請求項１】
第１の画素と、第２の画素とを有し、
前記第１の画素は、第１のトランジスタと、第１の発光素子と、を有し、
前記第２の画素は、第２のトランジスタと、第２の発光素子と、を有し、
前記第１の発光素子は、前記第１のトランジスタと電気的に接続され、
前記第２の発光素子は、前記第２のトランジスタと電気的に接続され、
前記第１の画素に前記第１のトランジスタの電流特性の情報を読み出すための信号を入力する第１の動作を行う機能と、
前記第１の動作の後、前記第１のトランジスタの電流特性の情報の読み出しと、前記第２の画素へのデータ信号の入力と、を行う第２の動作を行う機能と、を有する半導体装置。
【請求項２】
第１の画素と、第２の画素と、第３の画素とを有し、
前記第１の画素は、第１のトランジスタと、第１の発光素子と、を有し、
前記第２の画素は、第２のトランジスタと、第２の発光素子と、を有し、
前記第３の画素は、第３のトランジスタと、第３の発光素子と、を有し、
前記第１の発光素子は、前記第１のトランジスタと電気的に接続され、
前記第２の発光素子は、前記第２のトランジスタと電気的に接続され、
前記第３の発光素子は、前記第３のトランジスタと電気的に接続され、
前記第１の画素と前記第３の画素は、同一の選択線と電気的に接続され、
前記第１の画素に前記第１のトランジスタの電流特性の情報を読み出すための信号を入力し、前記第３の画素に前記第３の画素を非表示とするための信号を入力する第１の動作を行う機能と、
前記第１の動作の後、前記第１のトランジスタの電流特性の情報の読み出しと、前記第２の画素へのデータ信号の入力と、を行う第２の動作を行う機能と、を有する半導体装置。
【請求項３】
請求項２において、
前記第１のトランジスタと前記第３のトランジスタは、同一の配線と電気的に接続され、
前記第１のトランジスタの電流特性の情報の読み出しは、前記配線を介して行われる機能を有する半導体装置。
【請求項４】
請求項１乃至３のいずれか一項において、
前記第１のトランジスタの電流特性の情報の読み出しが行われている期間内に、前記第２の画素へのデータ信号の入力が行われる機能を有する半導体装置。
【請求項５】
請求項１乃至４のいずれか一項において、
前記第１のトランジスタの電流特性の情報の読み出しは、前記第２の動作を行う期間から、次のフレーム期間において前記第１の画素が選択されるまで行われる機能を有する半導体装置。
【請求項６】
請求項１乃至５のいずれか一項において、
前記第１のトランジスタの電流特性の情報は、前記第１のトランジスタに流れる電流、又は前記第１のトランジスタのしきい値電圧である半導体装置。